(57)【特許請求の範囲】
【請求項１】
設置面に設置される機器本体と、
この機器本体の上面部に支持部を介して回動自在に支持され、前記機器本体の上面部に沿って倒れ、画面が表向きに配置される第１の状態と該機器本体の上面部から前記支持部を中心として起立して画面が外向きに配置される第２の状態とに姿勢を変更するタッチパネル式表示部と、
このタッチパネル式表示部の反支持部側の端部に設けられた第１の支持片と、
この第１の支持片が近接する前記機器本体の端部に設けられた第２の支持片とを具備し、
前記タッチパネル式表示部を起立させて第２の状態にしたのち、前記支持部が上部側になるように前記機器本体を垂直状態に起立させて前記第１及び第２の支持片により前記設置面上に支持することを特徴とするＰＯＳ端末。
【請求項２】
前記第１及び第２の支持片は、前記タッチパネル式表示部及び前記機器本体に回動自在に支持され、回動されることにより外方に突出されて設置面に沿うことを特徴とする請求項１記載のＰＯＳ端末。
【請求項３】
前記タッチパネル式表示部の起立時に、前記タッチパネル式表示部の前記画面上の表示画像が上下逆向きになる場合には、該表示画像の上下の向きを反転制御する制御部を備えたことを特徴とする請求項２記載のＰＯＳ端末。
【請求項４】
前記タッチパネル式表示部の起立角度を検出するセンサを備え、
前記制御部は、前記センサが所定角度以上を検出するのに基づいて前記タッチパネル式表示部の前記画面上の表示画像の上下の向きを反転制御することを特徴とする請求項３記載のＰＯＳ端末。
【請求項５】
前記制御部は、前記機器本体の垂直状態での設置時に、前記タッチパネル式表示部の前記画面上の表示画像が上下逆向きになる場合には、該表示画像の上下の向きを反転制御することを特徴とする請求項３または４の何れか一項に記載のＰＯＳ端末。
【発明の詳細な説明】
【技術分野】
【０００１】
本発明は、ＰＯＳ端末に関する。
【背景技術】
【０００２】
電子機器、例えば、ＰＯＳ（Point of Sales）端末では、その機器本体の上面部側にチルト機構を有したディスプレイを備え、このディスプレイの角度を所望する角度に調整できるようになっている。
【０００３】
このＰＯＳ（Point of Sales）端末は、通常、カウンタなどのテーブル上にその機器本体が水平な状態で設置されている。
【０００４】
しかしながら、ＰＯＳ（Point of Sales）端末は、その奥行き方向の寸法が長く、テーブル上における専有スペースが大きくなるという問題があった。
【先行技術文献】
【特許文献】
【０００５】
【特許文献１】特開２００３−４３９７８号公報
【発明の概要】
【発明が解決しようとする課題】
【０００６】
解決しようとする課題は、占有スペースを大きく必要とすることなく、設置できるようにしたＰＯＳ端末を提供することにある。
【課題を解決するための手段】
【０００７】
上記課題を解決するため、実施の形態は、設置面に設置される機器本体と、この機器本体の上面部に支持部を介して回動自在に支持され、前記機器本体の上面部に沿って倒れ、画面が表向きに配置される第１の状態と該機器本体の上面部から前記支持部を中心として起立して画面が外向きに配置される第２の状態とに姿勢を変更するタッチパネル式表示部と、このタッチパネル式表示部の反支持部側の端部に設けられた第１の支持片と、この第１の支持片が近接する前記機器本体の端部に設けられた第２の支持片とを具備し、前記タッチパネル式表示部を起立させて第２の状態にしたのち、前記支持部が上部側になるように前記機器本体を垂直状態に起立させて前記第１及び第２の支持片により前記設置面上に支持する。
【図面の簡単な説明】
【０００８】
【図１】第１の実施形態であるＰＯＳ端末を示す斜視図。
【図２】図１のＰＯＳ端末を一部破断面して示す側面図。
【図３】図２のタッチパネル式表示部を起立させた状態を示す側面図。
【図４】図２のタッチパネル式表示部の画像表示を反転制御する制御系を示すブロック図。
【図５】図１のＰＯＳ端末を垂直に設置した状態を示す斜視図。
【図６】図５のＰＯＳ端末を第１及び第２の支持片により設置面上に支持した状態を示す図。
【図７】第２の実施形態であるＰＯＳ端末を示す側面図。
【図８】図７のタッチパネル式表示部を起立させた状態を示す側面図。
【図９】図７のＰＯＳ端末を第１及び第２の支持片により設置面上に垂直に支持した状態を示す側面図。
【発明を実施するための形態】
【０００９】
以下、実施の形態について図面を参照して説明する。  
（第１の実施形態）
図１は第１の実施形態である電子機器としてのＰＯＳ端末が水平に設置された状態を示す斜視図で、図２はその側面図である。
【００１０】
ＰＯＳ端末は機器本体１を備え、この機器本体１の上面部は傾斜面となっており、この傾斜する上面部にタッチパネル式表示部２が設けられている。
【００１１】
上記タッチパネル式表示部２は、機器本体１の後部側に図２に示すように支持部としてのチルト機構３を介して機器本体１に回動自在に支持されている。
【００１２】
タッチパネル式表示部２は、図１、図２に示すように、機器本体１の上面部に沿って倒れる第１の状態、或いは、図３に示すように、チルト機構３を中心にして回動されて起立する第２の状態に姿勢が切り替えられるようになっている。
【００１３】
即ち、タッチパネル式表示部２は、店員によって使用される場合には、図１、図２に示すように、機器本体１の上面部に沿って倒れる第１の状態、顧客によって使用される場合には、図３に示すように起立する第２の状態に切り替えられるようになっている。
【００１４】
また、タッチパネル式表示部２には、そのチルト機構３の近傍に位置して被検出片５が回動自在に取り付けられている。この被検出片５はタッチパネル式表示部２の回動に基づいて機器本体１内に出入されるようになっている。機器本体１内には、被検出片５の出入路６が設けられ、さらに、この出入路６に出入される被検出片５を検出するためのチルト角度センサ（センサ）８が設けられている。このチルト角度センサ８は、発光素子９とこの発光素子９から発光された光を受光する受光素子１０とからなる。
【００１５】
チルト角度センサ８の受光素子１０は図４に示すように制御部１２に接続され、制御部１２は受光素子１０が光を受光するか否かに基づいてタッチパネル式表示部２が所定角度以上開放されたか否かを判別するようになっている。
【００１６】
即ち、機器本体１が図３に示すように、水平状態で設置されてタッチパネル式表示部２が上方に回動され、その被検出片５が出入路６から脱出すると、発光素子９から発光された光が受光素子１０により受光される。この受光により制御部１２は、タッチパネル式表示部２が所定角度以上開放されたと判断し、タッチパネル式表示部２に表示される画像の上下を反転させるようになっている。これにより、店員にとっても顧客にとっても画面の表示内容が読み取り易くなっている。
【００１７】
また、タッチパネル式表示部２の反チルト機構側には、図２に示すように第１の支持片１４が設けられ、さらに、第１の支持片１４が近接する機器本体１の端部側には第２の支持片１５が設けられている。第１及び第２の支持片１４，１５は支軸１４ａ，１５ａによって回動自在に支持され、矢印ａ方向に回動されることにより外方に突出され、矢印ｂ方向に回動されることににより初期位置に復帰されるようになっている。
【００１８】
上記したＰＯＳ端末は、その設置面の広さに応じて、即ち、広い場合には、図１、図２に示すように水平な状態で設置され、狭い場合には、図５、図６に示すように、垂直な状態で設置されるようになっている。
【００１９】
次に、ＰＯＳ端末を垂直な状態に設置する場合について説明する。
【００２０】
まず、図１、図２に示す状態から、タッチパネル式表示部２の手前側の端部に手を掛けて上方に持ち上げる。これにより、タッチパネル式表示部２が図３に示すようにチルト機構３を中心にして上方に回動されて起立する。こののち、図５及び図６に示すように、機器本体１をチルト機構３側が上部側に位置するように起立させて垂直状態にして設置面Ｓに設置する。ついで、タッチパネル式表示部２の第１の支持片１４、及び機器本体１の第２の支持片１５をそれぞれ矢印で示すように回動させて外方に突出させて設置面Ｓに沿わせる。これにより、ＰＯＳ端末は、第１及び第２の支持片１４，１５により、設置面Ｓ上に安定的に支持されることになる。
【００２１】
なお、この垂直状態での設置時には、タッチパネル式表示部２に表示される画像の上下は再度反転されて表示内容が読み取り易くされる。
【００２２】
上記したように、この実施の形態によれば、ＰＯＳ端末を設置面Ｓ上に垂直状態で設置することができ、狭い占有スペースでの設置が可能になる。
【００２３】
（第２の実施形態）
図７乃至図９は第２の実施形態を示すものである。
【００２４】
なお、上記した第１の実施形態と同一部分については、同一番号を付してその説明を省略する。
【００２５】
上記した第１の実施形態では、タッチパネル式表示部２の上部側をチルト機構３により回動自在に支持したが、この第２の実施形態では、タッチパネル式表示部２の下部側をチルト機構３により回動自在に支持している。
【００２６】
タッチパネル式表示部２は図８に示すように、チルト機構３を中心として上方へ回動されて起立するようになっている。
【００２７】
タッチパネル式表示部２の反チルト機構側の端部には第１の支持片２１が支軸２１ａを介して回動自在に設けられ、この第１の支持片２１が近接する機器本体１の端部側には、第２の支持片２２が支軸２２ａを介して回動自在に設けられている。
【００２８】
ＰＯＳ端末は設置面Ｓの広さに応じて、即ち、広い場合には、図７に示すように水平な状態で設置され、狭い場合には、図９に示すように、垂直な状態で設置されるようになっている。
【００２９】
次に、ＰＯＳ端末を垂直な状態で設置する場合について説明する。
【００３０】
まず、図７に示す状態から、タッチパネル式表示部２の上部側に手を掛けて上方に持ち上げる。これにより、タッチパネル式表示部２が図８に示すようにチルト機構３を中心にして上方に回動されて起立する。こののち、図９に示すように、チルト機構３側が上部側になるように機器本体１を起立させて垂直状態にして設置面Ｓに設置する。ついで、タッチパネル式表示部２から第１の支持片２１、機器本体１から第２の支持片２２をそれぞれ矢印で示すように回動させて外部に突出させて設置面Ｓに沿わせる。これにより、ＰＯＳ端末は、第１及び第２の支持片１４，１５により、設置面Ｓ上に安定的に支持されることになる。
【００３１】
この第２の実施形態によっても、上記第１の実施形態と同様に狭い設置スペースでの設置が可能となる。
【００３２】
なお、この第２の実施形態においては、タッチパネル式表示部２が図８に示すようにチルト機構３を中心にして上方に回動されて起立された場合には、表示される画像の上下の向きは反転されることがなく、図９に示すように、垂直な状態で設置された場合に、上下の向きを反転して画面の表示内容を読み取り易くしている。
【００３３】
また、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【符号の説明】
【００３４】
Ｓ…設置面、１…機器本体、２…タッチパネル式表示部、３…チルト機構（支持部）、８…チルト角度センサ（センサ）、１２…制御部、１４，２１…第１の支持片、１５、２２…第２の支持片。
【図１】
0005723807.tif 000002
【図２】
0005723807.tif 000003
【図３】
0005723807.tif 000004
【図４】
0005723807.tif 000005
【図５】
0005723807.tif 000006
【図６】
0005723807.tif 000007
【図７】
0005723807.tif 000008
【図８】
0005723807.tif 000009
【図９】
0005723807.tif 000010